【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
特に家具のための、扉（２ａ、２ｂ）を面一の閉状態にスライドさせる装置（１）であって、各前記扉（２ａ、２ｂ）に接続するための、第１の対の車輪（１０ａ、１０ｂ）が下方領域で結合されたブラケットシステム（３）を備える前記装置（１）は、
前記第１の対の車輪（１０ａ、１０ｂ）と共に第１のガイド（１１）および第２のガイド（２０）それぞれの頭部（１７ａ、１７ｂ）とスライド可能に係合されている第２の対の車輪（１８ａ、１８ｂ）を備え、前記ガイドは、断面がＴ字状であり、平面視で円弧状の頭部と、前記家具の前記上面（８）から突出している軸部（１６ａ、１６ｂ）と、を有する
ことを特徴とする装置。
【請求項２】
第３の対の車輪（１９ａ、１９ｂ）が前記ブラケットシステム（３）と結合され、前記第１および第２の対の車輪（１０ａ、１０ｂ、１８ａ、１８ｂ）と類似しており、前記第１のガイド（１１）とスライド可能に係合されており、少なくとも一つの前記扉（２ａ、２ｂ）の閉鎖位置を強制するように構成されている手段が前記第３の対の車輪（１９ａ、１９ｂ）と結合されている
ことを特徴とする請求項１に記載の装置。
【請求項３】
前記ブラケットシステムは、平面視で長方形であり、２つのＬ字型接合部（５ａ、５ｂ）がその長手側に結合されている平板（４）から構成されており、前記接合部の前記翼部はそれぞれ、前記平板（４）と、各前記扉（２ａ、２ｂ）の前記内側面（６）にそれらの上端部（７）で接続されており、
前記第１の対の車輪（１０ａ、１０ｂ）は、前記家具の前記上面（８）に使用時に向けられる前記平板（４）の表面に、前記平板（４）の前記第１の外縁部（４ａ）の中央領域に隣接して、第１の筒状スペーサまたはハブ（９）を介して回転可能に結合されており、これら前記車輪は、アイドル状態であって前記上面（８）と平行な同一面上に配置され、固定または予め調整可能な選択空間によって相互に離間した状態で保持され、前記第１の対の車輪（１０ａ、１０ｂ）の前記回転式相互接続は、前記第１の筒状スペーサまたはハブ（９）を中心に下方領域で回動し、その端部で前記車輪が同様に回動してアイドル状態であるアーム（９ａ）によって得られる
ことを特徴とする請求項１に記載の装置。
【請求項４】
前記第１の対の車輪（１０ａ、１０ｂ）は、前記家具の前記上面（８）と一体的に接続された前記台板（８ａ）から突出する第１のガイド（１１）にスライド可能に係合され、前記第１のガイド（１１）は、前記第１の対の車輪（１０ａ、１０ｂ）の溝の間の空間に介在され、前記第１のガイド（１１）は、直線状であって前記家具の前縁部（１３）に略平行な第１の部分（１２）と、前記家具の前記後縁部（１５）に向かって傾斜しており、その端部が前記家具の前記側縁部に隣接している２つの第２の部分（１４ａ、１４ｂ）と、を画定するように平面視においてＵ字状である
ことを特徴とする請求項１および請求項３に記載の装置。
【請求項５】
前記第２の部分（１４ａ、１４ｂ）の傾きは、前記第１のガイド（１１）の前記端部（１５）の前記家具の前記前縁部（１３）からの距離が前記扉（２ａ、２ｂ）と閉状態で前記家具の前記前縁部（１３）に隣接して配置できるようにするものである
ことを特徴とする請求項１および請求項４に記載の装置。
【請求項６】
前記第１のガイド（１１）は、前記家具と結合されると共に、前記家具の前記前縁部（１３）と略平行に配置された前記台板（８ａ）から突出する軸部（１６ａ）を画定すると共に、前記第１の対の車輪（１０ａ、１０ｂ）の溝の間にスライド可能に固定された頭部（１７ａ）を画定するようなＴ字形断面である
ことを特徴とする請求項１および請求項５に記載の装置。
【請求項７】
第２の対の車輪（１８ａ、１８ｂ）と第３の対の車輪（１９ａ、１９ｂ）が前記ブラケットシステム（３）に結合されており、
前記第２の対の車輪（１８ａ、１８ｂ）は、前記第１の対の車輪（１０ａ、１０ｂ）と類似しており、第２の筒状スペーサまたはハブ（９ｃ）を中心に下方領域で回動するアーム（９ｂ）によって回転自在に相互接続されており、
前記第２の対の車輪（１８ａ、１８ｂ）は、前記家具の前記上面（８）に結合された前記台板（８ａ）に使用時に向けられた前記平板（４）の表面に、前記平板（４）の前記長手方向後縁部（４ｂ）に隣接して、前記長手方向後縁部（４ｂ）と前記第２の外縁部（４ｃ）の間をつなぐ前記平板（４）の角領域に配置されている
ことを特徴とする請求項１から請求項６のいずれか１項に記載の装置。
【請求項８】
前記第２の対の車輪（１８ａ、１８ｂ）は、前記第１のガイド（１１）と類似の形状をしているが、長さが短い第２のガイド（２０）にスライド可能に結合されており、
前記第２のガイド（２０）は、前記第１のガイド（１１）と平行に配置され、前記家具の前記前縁部（１３）と反対側に配置され、
前記第２のガイド（２１）はまた、前記家具の前記上面（８）と結合された前記台板（８ａ）から突出し、前記家具の前記前縁部（１３）と略平行に配置されている前記軸部（１６ｂ）と、前記第２の対の車輪（１８ａ、１８ｂ）の溝の間にスライド可能に固定される頭部（１７ｂ）と、を画定するようにＴ字形断面を有する
ことを特徴とする請求項１および請求項７に記載の装置。
【請求項９】
前記第２のガイド（２０）は、前記家具の前縁部（１３）と略平行である第３の直線部（２１）と、円弧状であって前記家具の前記後縁部（１５）に向けられた前記第２の部分（１４ａ、１４ｂ）より短い２つの第４の部分（２２ａ、２２ｂ）と、を画定するように平面視でＵ字形であり、
前記第４の部分（２２ａ、２２ｂ）の傾きは、扉が閉状態で前記平板（４）自体が水平に、したがって、前記家具の前記上面（８）と直交方句に公差する中心軸に対して略鏡面対称である前記第１および第２のガイド（１１、２０）に平行になるように並んでいる
ことを特徴とする請求項１から請求項８のいずれか１項に記載の装置。
【請求項１０】
前記第３の対の車輪（１９ａ、１９ｂ）は、前記家具の前記上面（８）と結合された前記台板（８ａ）に使用時に向けられた前記平板（４）の前記表面に、前記家具の前記前縁部（１３）に隣接する前記平板（４）の前記長手方向前縁部（４ｄ）に隣接して、前記平板（４）の隣接する前記第２の外縁部（４ｃ）側の領域に配置されており、
前記第３の対の車輪（１９ａ、１９ｂ）は、前記上面（８）と平行な同じ面上に配置され、
前記頭部（１７ｂ）は、前記車輪間に置かれ、少なくとも一つの前記扉の閉鎖位置を強制するように構成された手段に回転可能に接続された前記第３の対の車輪（１９ａ、１９ｂ）の前記溝間にスライド可能に固定される
ことを特徴とする請求項１から請求項９のいずれか１項に記載の装置。
【請求項１１】
前記手段は、Ｖ字状のリンク機構（２６）によって構成され、その第１の端部（２３ａ）は、前記第３の対の車輪（１９ａ、１９ｂ）に枢着され、その頂点は、前記第２の対の車輪（１９ａ、１９ｂ）側にあって前記平板（４）に枢着されており、
前記リンク機構（２６）の前記第２の端部（２３ｂ）は、その他端が前記平板（４）に結合されたスプリング（２４）等の弾性的に伸長可能な要素と係合され、前記スプリング（２４）は、前記扉が閉状態で開放される
ことを特徴とする請求項１および請求項１０に記載の装置。
【請求項１２】
前記リンク機構（２６）の前記頂点と前記第２の端部（２３ｂ）の間には、前記スプリング（２４）と同じ方向に沿う少なくとも一つの一方向性ブレーキまたはアクチュエータ（２５）が係合され、その機能は、面一状態に再配置する間の前記扉の動きを遅くし、突然の閉鎖動作を抑制するように扉の閉鎖時のみ働く
ことを特徴とする請求項１および請求項１１に記載の装置。